(57)【要約】【課題】組立簡易で且つコード案内装置の固定が堅固なブラインド及びそのコード案内装置の提供。【解決手段】２つの側壁と底壁とで収容空間を画成するトップフレームと、これに吊り下がる遮蔽手段と、収容空間に設けられた巻き上げユニットとこれに一端が巻かれ他端が遮蔽手段と連結されたコードとを有する巻き上げ制御装置と、巻き上げユニットを間に挟んでいるコード案内装置５とを具え、コード案内装置５は輪体支持部材５０と案内輪体５１とを有し、輪体支持部材５０は、２つの支持壁５４とこれらから延伸し各側壁に弾性当接している弾性アーム５７０とを有し、各支持壁５４には軸受溝５４０が狭窄部５４４とこれより下方に延伸し幅広な軸受部５４２とを有するよう形成され、案内輪体５１は、コード巻き掛け部５１２と、軸受部５４２に支承される１対の車軸部５１１とを有することを特徴とするブラインドの提供。【選択図】図５
2014208944.tif 000002
【特許請求の範囲】
【請求項１】
互いに間隔をおいて平行するように向かい合っている２つの側壁と、各該側壁との間に収容空間を画成するように各該側壁の一端同士を繋いでいる底壁とを有するトップフレームと、
前記トップフレームの前記底壁から吊り下がっている遮蔽手段と、
前記収容空間に設けられている巻き上げユニットと、該巻き上げユニットにそれぞれ一端部側が巻回されていると共にその他端部側である連結端部が前記遮蔽手段と連結されている２本のコードとを有しており、前記コードを巻き上げたり巻き下げたりすることで前記遮蔽手段を前記トップフレームに対して昇降させることができる少なくとも１つの巻き上げ制御装置と、
前記収容空間内で前記巻き上げユニットを間に挟むように設けられている２つのコード案内装置とを具えているブラインドであって、
各前記コード案内装置は、前記収容空間に設けられている輪体支持部材と、少なくとも１つの案内輪体とを有しており、
前記輪体支持部材は、互いに平行するように向かい合っており、且つ前記収容空間において前記トップフレームの前記側壁とも平行するようになっている２つの支持壁と、各該支持壁から延伸していると共に前記トップフレームの各前記側壁に弾性的に当接して前記輪体支持部材を前記収容空間内に固定している弾性アームユニットとを有しており、各前記支持壁には、数量が前記案内輪体と対応する軸受溝が、それぞれ前記支持壁の上端に近い側に位置する狭窄部と該狭窄部から下方に延伸すると共に該狭窄部よりも幅広に形成されている軸受部とを有するように形成されており、
前記案内輪体は、対応する１本の前記コードの前記連結端部が巻き掛けられているコード巻き掛け部と、対応する前記軸受部に回転自在に支承されるように前記コード巻き掛け部からそれぞれ突出している１対の車軸部とを有していること
を特徴とするブラインド。
【請求項２】
前記トップフレームは、前記収容空間に繋がる開口をそれらの間に画成するように各前記側壁の前記一端の反対端である他端からそれぞれ内向きに延伸しているフランジ壁を有しており、
前記弾性アームユニットは、それぞれ前記側壁の内側に弾性的に当接するように各前記支持壁から延伸している弾性アームを少なくとも１対有しており、各前記弾性アームは、その延伸端部が対応する前記フランジ壁に当接するように形成されている
ことを特徴とする請求項１に記載のブラインド。
【請求項３】
対応する１対の前記弾性アームの外側同士の最大間隔は、各前記弾性アームが対応する前記側壁に当接していない場合において、各前記側壁の内側同士の最大間隔よりも大きい
ことを特徴とする請求項２に記載のブラインド。
【請求項４】
前記トップフレームの前記底壁には、複数の位置決め孔が形成されており、
前記コード案内装置の前記輪体支持部材は、各前記支持壁同士を繋いでいる基壁と、前記トップフレームの対応する前記位置決め孔と係合するように前記基壁から前記支持壁と反対の方向に突出している位置決め突起とを有しており、且つ、前記基壁と前記位置決め突起には、これらを貫通しているとともに対応する１本の前記コードの前記連結端部が通される貫通孔が形成されている
ことを特徴とする請求項１から３のいずれか一項に記載のブラインド。
【請求項５】
前記巻き上げ制御装置を２つ具えており、
各前記コード案内装置は、それぞれ前記案内輪体を２つ有しており、各前記支持壁には、前記案内輪体と対応してそれぞれ前記軸受溝が２つ形成されており、
各前記巻き上げ制御装置の各前記コードの前記連結端部は、前記２つのコード案内装置の内の１つにおける前記案内輪体の内の1つの前記コード巻き掛け部と、前記２つのコード案内装置の内の他の１つにおける前記案内輪体の内の1つの前記コード巻き掛け部との何れか１つに巻き掛けられている
ことを特徴とする請求項４に記載のブラインド。
【請求項６】
前記遮蔽手段は、下部レールと、上部レールと、これらの間に挟持されるように設けられている遮蔽部材とを有しており、
各前記コードの前記連結端部は、前記輪体支持部材の前記貫通孔と前記上部レールと前記遮蔽部材とに通されているとともに、前記下部レールと連結されている
ことを特徴とする請求項４に記載のブラインド。
【請求項７】
各前記支持壁には複数のロッド受け口が形成されており、
前記コード案内装置は、前記ロッド受け口に挿入されている複数のコード案内ロッドを有しており、
各前記コードの前記連結端部は、少なくとも１つの前記コード案内ロッドに掛けられている
ことを特徴とする請求項１に記載のブラインド。
【請求項８】
互いに間隔をおいて平行するように向かい合っている２つの側壁と、各該側壁との間に収容空間を画成するように各該側壁の一端同士を繋いでいる底壁とを有するトップフレームと、該トップフレームに垂れ下げられた遮蔽部材を昇降させるためのコードとを具えたブラインドに用いることができるコード案内装置であって、
前記収容空間に設けられる輪体支持部材と、少なくとも１つの案内輪体とを有しており、
前記輪体支持部材は、互いに平行するように向かい合っており、前記輪体支持部材が前記収容空間内に入れられると前記トップフレームの前記側壁とも平行するようになる２つの支持壁と、前記輪体支持部材が前記収容空間内に入れられると各前記側壁に弾性的に当接して前記輪体支持部材を前記収容空間内に固定することができるように各該支持壁から延伸している弾性アームユニットとを有しており、各前記支持壁には、数量が前記案内輪体と対応する軸受溝が、それぞれ前記支持壁の上端に近い側に位置する狭窄部と該狭窄部から下方に延伸すると共に該狭窄部よりも幅広に形成されている軸受部とを有するように形成されており、
前記案内輪体は、前記コードが巻き掛けられるコード巻き掛け部と、対応する前記軸受部に回転自在に支承されるように前記コード巻き掛け部からそれぞれ突出している１対の車軸部とを有している
ことを特徴とするコード案内装置。
【請求項９】
前記弾性アームユニットは、それぞれ前記側壁の内側に弾性的に当接するように各前記支持壁から延伸している弾性アームを１対有しており、
前記１対の弾性アームの外側同士の最大間隔は、各前記弾性アームが対応する前記側壁に当接していない場合において、各前記側壁の内側同士の最大間隔よりも大きい
ことを特徴とする請求項８に記載のコード案内装置。
【請求項１０】
前記コード案内装置は、前記案内輪体を２つ有しており、各前記支持壁には、各前記案内輪体と対応するようにそれぞれ前記軸受溝が２つ形成されている
ことを特徴とする請求項８に記載のコード案内装置。
【発明の詳細な説明】
【技術分野】
【０００１】
本発明はブラインドに関し、特に昇降式のブラインドおよびそれに用いるためのコード案内装置に関する。 
【背景技術】
【０００２】
図８は特許文献１（実用新案登録第３１３３２１６号）に開示されている従来のブラインドである。該ブラインド８は、窓枠の上縁に取り付けられているトップフレーム８１と、トップフレーム８１の下方にこれと平行するように且つ昇降自在に設けられているボトムレール８２と、これらの間にボトムレール８２の昇降に応じて収納されたり展開されたりできるように設けられている遮蔽部材８３と、ボトムレール８２に連結されている２本の昇降コード８４２を巻き上げたり巻き下げたりすることによりボトムレール８２の昇降を制御する巻き上げ制御装置８４と、該２本の昇降コード８４２をそれぞれ案内するため巻き上げ制御装置８４の左右両方に設けられている２つのコード案内装置８５とを具えている。
【０００３】
トップフレーム８１は、互いに間隔を空けて平行して向かい合っている２枚の側壁８１１と、これら２枚の側壁８１１を繋いでいると共にこれらとの間に収容空間８１３を画成している底壁８１２とからなっており、この内一方の側壁８１２が窓枠の上縁に固定されている。
【０００４】
巻き上げ制御装置８４は、収容空間８１３内に設けられており昇降コード８４２を巻き上げたり巻き下げたりできる巻き上げユニット８４１を有している。
【０００５】
各コード案内装置８５は、トップフレーム８１の側壁８１１の一方に粘着により固定されている取り付け板８５１と、取り付け板８５１から突出するように設けられており、対応する昇降コード８４２が案内されるように巻き掛けられている２本の案内ロッド８５２とを有している。
【先行技術文献】
【特許文献】
【０００６】
【特許文献１】実用新案登録第３１３３２１６号公報
【発明の概要】
【発明が解決しようとする課題】
【０００７】
しかしながら、上述のようなブラインドでは、コード案内装置８５とトップフレーム８１との粘着固定強度が経時低下するので、長期間使用すると、コード案内装置８５の固定が不安定になり、ブラインドの昇降操作に支障が出る。
【０００８】
この点に鑑み、コード案内装置の固定を粘着以外の手段に依る方法、例えばねじやリベットによる固定方法も知られているが、トップフレームは窓枠に取り付けられるほどの大きさしかないので内部の空間も限られており、このような限られた空間でねじなどを用いた固定作業は困難である。また、コード案内装置８５の固定に粘着を用いるにしろねじなどを用いるにしろ、固定した後に狭い収容空間８１３内でコード案内装置８５に昇降コード８４２を巻き掛ける作業は困難である。これらの困難が、ブラインド８におけるコード案内装置８５の組み立てを複雑にしている。
【０００９】
以上の問題点に鑑み、本発明は、トップフレーム内へのコード案内装置の設置作業が簡易であり、且つコード案内装置の固定安定性に優れたブラインド、およびそのコード案内装置の提供を目的とする。
【課題を解決するための手段】
【００１０】
上記目的を達成するために、本発明は、以下の手段を提供する。即ち、
互いに間隔をおいて平行するように向かい合っている２つの側壁と、各該側壁との間に収容空間を画成するように各該側壁の一端同士を繋いでいる底壁とを有するトップフレームと、
前記トップフレームの前記底壁から吊り下がっている遮蔽手段と、
前記収容空間に設けられている巻き上げユニットと、該巻き上げユニットにそれぞれ一端部側が巻回されていると共にその他端部側である連結端部が前記遮蔽手段と連結されている２本のコードとを有しており、前記コードを巻き上げたり巻き下げたりすることで前記遮蔽手段を前記トップフレームに対して昇降させることができる少なくとも１つの巻き上げ制御装置と、
前記収容空間内で前記巻き上げユニットを間に挟むように設けられている２つのコード案内装置とを具えているブラインドであって、
各前記コード案内装置は、前記収容空間に設けられている輪体支持部材と、少なくとも１つの案内輪体とを有しており、
前記輪体支持部材は、互いに平行するように向かい合っており、且つ前記収容空間において前記トップフレームの前記側壁とも平行するようになっている２つの支持壁と、各該支持壁から延伸していると共に前記トップフレームの各前記側壁に弾性的に当接して前記輪体支持部材を前記収容空間内に固定している弾性アームユニットとを有しており、各前記支持壁には、数量が前記案内輪体と対応する軸受溝が、それぞれ前記支持壁の上端に近い側に位置する狭窄部と該狭窄部から下方に延伸すると共に該狭窄部よりも幅広に形成されている軸受部とを有するように形成されており、
前記案内輪体は、対応する１本の前記コードの前記連結端部が巻き掛けられているコード巻き掛け部と、対応する前記軸受部に回転自在に支承されるように前記コード巻き掛け部からそれぞれ突出している１対の車軸部とを有していることを特徴とするブラインドを提供する。
【００１１】
また、他の観点によれば、本発明は以下の手段をも提供する。即ち、
互いに間隔をおいて平行するように向かい合っている２つの側壁と、各該側壁との間に収容空間を画成するように各該側壁の一端同士を繋いでいる底壁とを有するトップフレームと、該トップフレームに垂れ下げられた遮蔽部材を昇降させるためのコードとを具えたブラインドに用いることができるコード案内装置であって、
前記収容空間に設けられる輪体支持部材と、少なくとも１つの案内輪体とを有しており、
前記輪体支持部材は、互いに平行するように向かい合っており、前記輪体支持部材が前記収容空間に入れられると前記トップフレームの前記側壁とも平行するようになる２つの支持壁と、前記輪体支持部材が前記収容空間に入れられると各前記側壁に弾性的に当接して前記輪体支持部材を前記収容空間内に固定することができるように各該支持壁から延伸している弾性アームユニットとを有しており、各前記支持壁には、数量が前記案内輪体と対応する軸受溝が、それぞれ前記支持壁の上端に近い側に位置する狭窄部と該狭窄部から下方に延伸すると共に該狭窄部よりも幅広に形成されている軸受部とを有するように形成されており、
前記案内輪体は、前記コードが巻き掛けられるコード巻き掛け部と、対応する前記軸受部に回転自在に支承されるように前記コード巻き掛け部からそれぞれ突出している１対の車軸部とを有していることを特徴とするコード案内装置を提供する。
【発明の効果】
【００１２】
上記構成によれば、前記コード案内装置の前記輪体支持部材は、前記弾性アームユニットが前記トップフレームの前記側壁に当接することで、前記収容空間内に安定して固定されることができる。また、前記案内輪体は、前記車軸部が前記軸受部に嵌り込むことで、前記輪体支持部材に安定して固定されることができる。また、上記のような固定方法を用いることにより、本発明のブラインドによればその組立作業が簡易になされることができる。
【図面の簡単な説明】
【００１３】
【図１】本発明の実施例１に係るブラインドを示す組み立て斜視図である。
【図２】本発明の実施例１に係るブラインドを示す部分断面前視図である。
【図３】本発明の実施例１に係るコード案内装置およびトップフレームを示す分解断面側視図である。
【図４】本発明の実施例１に係るコード案内装置を示す分解斜視図である。
【図５】本発明の実施例１に係るコード案内装置、トップフレームおよびコードを示す部分組み立て断面側視図である。
【図６】本発明の実施例２に係るコード案内装置を示す分解斜視図である。
【図７】本発明の実施例３に係るブラインドを示す部分断面前視図である。
【図８】従来例のブラインドを示す斜視図である。
【発明を実施するための形態】
【００１４】
以下、本発明を好適な実施の形態をもとに図面を参照しながら説明する。各図面に示される同一または同等の構成要素、部材、処理には、同一の符号を付するものとし、重複した説明は適宜省略する。また、実施の形態は、発明を限定するものではなく例示であって、実施の形態に記述されるすべての特徴やその組み合わせは、必ずしも発明の本質的なものであるとは限らない。
（実施例１）
【００１５】
本実施例に係るブラインドは、図１に示されているように、トップフレーム２と、遮蔽手段３と、少なくとも１つの巻き上げ制御装置４（本実施例では２つ）と、２つのコード案内装置５とを具えている。
【００１６】
トップフレーム２は、例えば窓の内側に取り付けられる、それぞれ遮蔽手段３の幅方向（図示における左右方向）に水平に長く延伸していると共に、前後方向に互いに間隔をおいて平行するように向かい合っている２つの側壁２１、２１と、各側壁２１の一端（図示における下端）同士を繋いでいると共に各側壁２１との間に断面が略Ｕの字形をなす収容空間２４を画成している底壁２２（図２参照）と、各側壁２１の他端（図示における上端）からそれぞれ内向きに延伸していると共に底壁２２と上下方向で向かい合うようになっているフランジ壁２３、２３とを有しており（図３参照）、各フランジ壁２３の間には収容空間２４に繋がる開口２４１（図３参照）が画成されている。また、底壁２２には、２つの位置決め孔２２１、２２１（図３参照）が上下方向に貫通するように形成されている。
【００１７】
遮蔽手段３は、トップフレーム２の底壁２２から吊り下げられるように設けられており、たくし上げられた時にはトップフレーム２近くまで畳み上げられて、降ろされた時には折り畳み状態から解放されて展開されるように、下部レール３１と、上部レール３２と、これらの間に挟持されるように設けられている遮蔽部材３３とを有している。遮蔽部材３３は、例えば図１に示されているような、それぞれハニカム状に形成されたスラットが上下方向に繋ぎ合わされるように構成されてもよく、あるいは、図示しないが、長尺状のスラットの幅方向一端同士が交互に連続的に繋ぎ合わされたジグザグ状に構成されてもよく、その具体的な形状は本発明において限定されない。
【００１８】
巻き上げ制御装置４は、遮蔽手段３をトップフレーム２に対して昇降可能に作動するものであり、収容空間２４に設けられている巻き上げユニット４１と、巻き上げユニット４１にそれぞれ一端部側が巻回されている２本のコード４２、４２とを有しており、各コード４２は、上述した一端部側より延伸する他端部側である連結端部４２１が、底壁２２の対応する位置決め孔２２１、上部レール３１および遮蔽部材３３を通って遮蔽手段３の下部レール３１と連結されている。これにより巻き上げ制御装置４は、各コード４２を巻き上げたり巻き下げたりすることで遮蔽手段３をトップフレーム２に対して昇降させることができる。
【００１９】
巻き上げユニット４１は、各コード４２を巻回する引っ張り強度が、遮蔽部材３３と上部レール３２と下部レール３１との全体重量と釣り合っていることにより、遮蔽部材３３を所望の高さに止めることができる。なお、巻き上げユニット４１の動作は、当技術分野で周知であるので、本明細書での詳述を省く。
【００２０】
なお、本実施例では巻き上げ制御装置４を２つ用いたが、巻き上げ制御装置４の数量は、該数量の多寡を決める要素としての遮蔽手段３の重量及び幅を含めて制限されない。用いる遮蔽手段３が比較的小型のものであれば、巻き上げ制御装置は１つで足りるが、遮蔽手段３が比較的大型のものであれば、巻き上げ制御装置は複数用いることが好ましい。
【００２１】
コード案内装置５は、図２および図３に示されているように、収容空間２４内で巻き上げユニット４１を間に挟むように設けられており、その構造は図４に示されているように、各コード案内装置５それぞれが輪体支持部材５０と、少なくとも１つの案内輪体５１（本実施例では２つ）と、棒状に形成された複数のコード案内ロッド５２とを有している。
【００２２】
輪体支持部材５０は、図３〜図５に示されているように、収容空間２４に設置されており、前後方向に互いに間隔をおいて平行するように向かい合っていると共にトップフレーム２の側壁２１とも平行するようになっている２つの支持壁５４、５４と、各支持壁５４の一端（図示における下端）同士を繋いでいる基壁５３と、トップフレーム２の対応する位置決め孔２２１と位置対応して係合することでコード案内装置５が収容空間２４内で位置決めされるように基壁５３から支持壁５４と反対の方向（図示における下方向）に突出している位置決め突起５５（図３参照）と、各支持壁５４から前後方向外側に向かって突起するように延伸していると共にトップフレーム２の側壁２１の内側に弾性的に当接している弾性アームユニット５７とを有している。また、輪体支持部材５０には、コード案内ロッド５２が挿入されている複数のロッド受け口５４１が形成されており、各コード４２は、その連結端部４２１が所望の延伸方向に案内されるように少なくとも１つのコード案内ロッド５２に掛けられている。
【００２３】
各支持壁５４には、数量が案内輪体５１と対応する（本実施例では２つ）軸受溝５４０が、各支持壁５４の上端から下方に向かって切り込まれるように形成されている。詳しく言うと、軸受溝５４０は、それぞれ支持壁５４の図示における上端に近い側に位置しており開口５４３を有する狭窄部５４４と、狭窄部５４４から連続して下方に延伸すると共に狭窄部５４４よりも左右方向の幅が広くなるように且つ円形状に形成されており奥側となる軸受部５４２とを有するように形成されている。
【００２４】
なお、上記構成において、コード案内装置５における基壁５３の前後方向の幅（図３におけるＷ１）は、トップフレーム２における収容空間２４の開口２４１の前後方向の幅（図３におけるＷ２）よりも狭いか或いは同幅に構成されている。
【００２５】
また、輪体支持部材５０において、基壁５３と位置決め突起５５には、これらを上下方向に貫通していると共に、対応する１本のコード４２の連結端部４２１が通される貫通孔５６が形成されている。
【００２６】
弾性アームユニット５７は、トップフレーム２の各側壁２１の内側にそれぞれ弾性的に当接するように各支持壁５４から互いに背向的に突出して延伸している板ばね状の弾性アーム５７０を少なくとも１対（本実施例では図示の如く２対）有している。また、各弾性アーム５７０は、その延伸端５７１が、対応する側壁２１側のフランジ壁２３の内側に当接するように形成されている。
【００２７】
ここで特記すべきは、上記構成において、対応する１対の弾性アーム５７０、５７０の外側同士の最大間隔（図３におけるＷ３）は、例えばコード案内装置５がトップフレーム２内に組み入れられる前で各弾性アーム５７０が押圧されていない場合、つまり各弾性アーム５７０が対応する側壁２１に当接していない場合において、各側壁２１の内側同士の最大間隔（図３におけるＷ４）よりも大きくなるように構成されているという点である。
【００２８】
案内輪体５１は、対応する１本のコード４２の連結端部４２１が巻き掛けられている糸巻状のコード巻き掛け部５１２と、コード巻き掛け部５１２から背向的にそれぞれ突出している断面円形の１対の車軸部５１１、５１１とを有している。
【００２９】
各車軸部５１１は、その直径（図４におけるＷ５）が、各軸受部５４２の直径（図４におけるＷ６）とほぼ等しく、且つ、狭窄部５４４の幅（図４におけるＷ７）よりも大きくなるように形成されているので、各車軸部５１１は、開口５４３および狭窄部５４４に押し込まれるように通されてから軸受部５４２に嵌められることができる。これにより組み立て後の本実施例においては、各案内輪体５１は、輪体支持部材５０における対応する支持壁５４の軸受溝５４０の軸受部５４２に回転自在に支承されている。
【００３０】
なお、巻き上げ制御装置４は、上述したように本実施例においては２つ用いられている上に、それぞれが２本のコード４２、４２を有している。各コード４２の連結端部４２１は、それぞれ２つのコード案内装置５、５の内の１つにおける２つの案内輪体５１、５１の内の1つのコード巻き掛け部５１２と、２つのコード案内装置５、５の内の他の１つにおける２つの案内輪体５１、５１の内の1つのコード巻き掛け部５１２とのいずれか1つに巻き掛けられている。
【００３１】
具体的には例えば以下のように構成することができる。
２つの巻き上げ制御装置４、４の内の左側に位置する方の１本のコード４２は、２つのコード案内装置５、５の内の左側に位置する方の１つの案内輪体５１に向かって延伸していると共にその案内輪体５１に巻き掛けられており、且つ、２つの巻き上げ制御装置４、４の内の右側に位置する方の１本のコード４２は、２つのコード案内装置５、５の内の左側に位置する方の他の１つの案内輪体５１に向かって延伸していると共にその案内輪体５１に巻き掛けられている。また同時に、左側に位置する巻き上げ制御装置４の他の１本のコード４２は、右側に位置するコード案内装置５の１つの案内輪体５１に向かって延伸していると共にその案内輪体５１に巻き掛けられており、且つ、右側に位置する巻き上げ制御装置４の他の１本のコード４２は、右側に位置するコード案内装置５の他の１つの案内輪体５１に向かって延伸していると共にその案内輪体５１に巻き掛けられている。
【００３２】
つまり、概して言えば、各巻き上げ制御装置４のそれぞれ１本のコード４２は、互いに反対方向に延伸して比較的近くに位置する側のコード案内装置５に巻き掛けられており、且つ、各巻き上げ制御装置４の他のそれぞれ１本のコード４２は、互いに対向するように延伸して各巻き上げ制御装置４の間で交差した後に比較的遠くに位置する側のコード案内装置５に巻き掛けられている。
【００３３】
なお、トップフレーム２の基壁５３に形成されている位置決め孔２２１の数量は、コード案内装置５の数量に対応しており、よって本実施例では上述のように２つである。また、案内輪体５１の合計数量は、コード４２の合計数量と対応しており、よって本実施例では各コード案内装置２つずつの合計４つである。
【００３４】
以下では、図１、図２、図３および図５を参照して、本実施例に係るブラインドの組み立てを説明する。
【００３５】
巻き上げ制御装置４の巻き上げユニット４１を、トップフレーム２内の収容空間２４の中間近くに配置する。また、各コード案内装置５の輪体支持部材５０を、開口２４１を通して収容空間２４に押し入れる。
【００３６】
ここで、各１対の弾性アーム５７０、５７０同士の最大間隔（図３におけるＷ３）は、収容空間２４の開口２４１の幅（図３におけるＷ２）よりも大きいこと、および、弾性アーム５７０が外側からの圧迫に対して弾性を有していることから、上述のように輪体支持部材５０を開口２４１から収容空間２４に押し入れる際には、両方の弾性アーム５７０がトップフレーム２の各フランジ壁２３にそれぞれ圧迫され内側にひずむ。そして、そのまま押し入れ続けて輪体支持部材５０が完全に収容空間２４内に入ると、弾性アーム５７０がフランジ壁２３による圧迫から解放されると共に、その戻り弾性によってトップフレーム２の側壁２１の内側に当接するようになり、またその延伸端５７１がフランジ壁２３の内側に当接するようになる。また、これと同時に、輪体支持部材５０の位置決め突起５５を、底壁２２における対応する位置決め孔２２１に嵌め込む。このようにすると、開口２４１から押し入れるだけで、輪体支持部材５０を収容空間２４内でトップフレーム２に対してしっかりと固定することができる。
【００３７】
また、各コード４２は、案内輪体５１への巻き掛けの前に、あるいは後に、あるいは前後ともに、少なくとも１つのコード案内ロッド５２に掛けてから、案内輪体５１から対応するコード案内装置５の輪体支持部材５０の貫通孔５６に通して、遮蔽手段３の上部レール３２と遮蔽部材３３に更に通して下部レール３１に固定する。次に、コード４２が巻き掛けられた各案内輪体５１を、対応する２つの軸受溝５４０の各狭窄部５４４に開口５４３からそれぞれの各車軸部５１１を押し入れるようにして各軸受部５４２に嵌め込む。この際、上述のように、各車軸部５１１の直径（Ｗ５）は、各軸受部５４２の直径（Ｗ６）とほぼ等しく、且つ、狭窄部５４４の幅（図４におけるＷ７）よりも大きい上に、コード４２の巻き掛けにより各案内輪体５１が下方に、つまり各軸受部５４２側に常に引っ張られるので、各車軸部５１１は、狭窄部５４４側に移動することなく、各軸受部５４２に安定的に且つ回転可能に軸承される。以上で、本実施例におけるブラインドの組み立てが完了する。
【００３８】
なお、本発明に係るブラインドにおいては、各コード４２を対応するコード案内装置５の案内輪体５１に巻き掛ける際の巻回数（つまり何周巻くか）は、コード４２を引っ張る力に対する抵抗を調整するべく決められればよく、１周あるいは複数周でもよい。
（実施例２）
【００３９】
図６には、本発明に係るブラインドの実施例２が示されている。本実施例の、実施例１と異なる点は、各コード案内装置５ａが案内輪体５１を１つだけ（実施例１では２つ）有している点と、これに対応して輪体支持部材５０ａの各支持壁５４ａに軸受溝５４０が１つだけ（実施例１では２つ）形成されている点である。
（実施例３）
【００４０】
図７には、本発明に係るブラインドの実施例３が示されている。本実施例の、実施例１と異なる点は、コード案内装置が３つ設けられており、その内の中間側に位置しており２つの巻き上げ制御装置４、４に挟まれている１つは実施例１と同様のコード案内装置５（案内輪体５１を２つ有する）であり、それぞれ２つの巻き上げ制御装置４、４よりも外側に位置する他の２つは実施例２と同様のコード案内装置５ａ（案内輪体５１を１つ有する）である。
【００４１】
つまり、各巻き上げ制御装置４が２つのコード案内装置５、５ａの間に如何なるように配置されるにしてもそれら巻き上げ制御装置４の各々２本のコード４２、４２がそれぞれ反対の方向に延伸されると共にそれぞれが１つの案内輪体５１に巻き掛けられさえすれば、本発明に係るブラインドにおいては、用いられるコード案内装置５、５ａの種類もその数量も制限されない。加えて、上述のように、各コード４２の対応する案内輪体５１への巻回数も本発明においては制限されていない。これにより、本発明に係るコード案内装置５、５ａは、異なるサイズのブラインドにそれぞれ用いることができる。
【００４２】
以上総括すると、コード案内装置５、５ａおよびコード４２をトップフレーム２内に組み入れる際には、輪体支持部材５０、５０ａをトップフレーム２の収容空間２４内に単純に押し入れるだけでよく、また、コード４２を案内輪体５１に巻き掛けた後に、案内輪体５１を輪体支持部材５０、５０ａの軸受溝５４０に単純に押し入れるだけでよい。このように本発明に係るブラインドによれば、単純な動作で組み立て作業を完成できる上に、組み立て後の輪体支持部材５０および案内輪体５１の固定が安定している。
【００４３】
以上、本発明の好ましい実施形態を説明したが、本発明はこれに限定されるものではなく、その要旨を逸脱しない範囲で種々変更可能である。
【産業上の利用可能性】
【００４４】
本発明によれば、ブラインドの組立作業が簡易になされることができる上に、コード案内装置のトップフレームへの固定が安定しているので、組立容易で且つ構造が堅固なブラインドの提供に有用である。
【符号の説明】
【００４５】
２  トップフレーム
２１  側壁
２２  底壁
２２１  位置決め孔
２３  フランジ壁
２４  収容空間
２４１  開口
３  遮蔽手段
３１  下部レール
３２  上部レール
３３  遮蔽部材
４  巻き上げ制御装置
４１  巻き上げユニット
４２  コード
４２１  連結端部
５、５ａ  コード案内装置
５０、５０ａ  輪体支持部材
５１  案内輪体
５１１  車軸部
５１２  コード巻き掛け部
５２  コード案内ロッド
５３  基壁
５４、５４ａ  支持壁
５４０  軸受溝
５４１  ロッド受け口
５４２  軸受部
５４３  開口
５４４  狭窄部
５５  位置決め突起
５６  貫通孔
５７  弾性アームユニット
５７０  弾性アーム
５７１  延伸端
【図１】
2014208944.tif 000003
【図２】
2014208944.tif 000004
【図３】
2014208944.tif 000005
【図４】
2014208944.tif 000006
【図５】
2014208944.tif 000007
【図６】
2014208944.tif 000008
【図７】
2014208944.tif 000009
【図８】
2014208944.tif 000010